(57)【要約】【課題】  粘着剤を塗布するための工程数が増加することなく、隠蔽片を剥離した後でも情報記入領域への情報の印字や記入を可能としながらも、隠蔽片が剥離された場合にその痕跡を残す。【解決手段】  情報記入領域１１が設けられた本体片１０に、他の領域からの破断強度が、本体片１０と隠蔽片２０とを再剥離再貼着可能に貼着する粘着剤２１の剥離接着力よりも弱い破断領域１３をミシン目１２によって区画形成する。【選択図】図１
2006159540.tif 000002
【特許請求の範囲】
【請求項１】
情報記入領域が設けられた本体片と、一方の面に再剥離再貼着可能な粘着剤が塗布され、該粘着剤によって前記本体片の前記情報記入領域上に貼着されることにより前記情報記入領域に記入された情報を隠蔽するための隠蔽片とを有してなる記入情報隠蔽シートであって、
前記本体片及び前記隠蔽片のいずれか一方に、他の領域から破断可能な破断領域が区画形成され、該破断領域の破断強度が前記粘着剤の剥離接着力よりも弱い記入情報隠蔽シート。
【発明の詳細な説明】
【技術分野】
【０００１】
本発明は、情報記入領域に記入された情報を隠蔽することができる記入情報隠蔽シートに関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。このようなはがきに用いられる隠蔽片としては、例えば、一方の面に再剥離再貼着が可能な粘着剤が塗布されたものが用いられ、この粘着剤によって情報記入領域上に隠蔽片が剥離可能に貼着される。このはがきを用いて情報を伝達する場合、情報記入領域に伝達したい情報を記入した後、はがき本体の情報記入領域上に隠蔽片を剥離可能に貼着し、その状態ではがきを送付先に送付する。これにより、はがきの送付途中においては、情報記入領域に記入された情報は隠蔽片によって覆われており、外部から見られてしまうことはない。また、このはがきが送付先に送付された後、はがきの送付先において隠蔽片をはがき本体から剥離すると、情報記入領域に記入された情報が視認可能となり、それにより、情報記入領域に記入された情報がはがきの送付元から送付先に伝達されることになる。このように、隠蔽片をはがき本体から剥離可能に構成するために再剥離再貼着が可能な粘着剤を用いた場合、２層構造のフィルムを用いて隠蔽片を剥離可能に貼着した場合に対して、隠蔽片を剥離した後でも情報記入領域への情報の印字や記入を可能とすることができる。
【０００３】
ところが、上述したように、情報記入領域に記入された情報を、再剥離再貼着が可能な粘着剤が塗布された隠蔽片を用いて隠蔽するものにおいては、情報記入領域に情報が記入されて隠蔽片が貼着された後、この情報の伝達先への送付途中にて隠蔽片が剥離され、情報記入領域に記入された情報が第三者に見られた場合であっても、情報記入領域上に隠蔽片が再度貼着されてしまうと、その痕跡を残すことができないため、情報記入領域に記入された情報の秘匿性が高いとは言い難い。
【０００４】
そこで、情報記入領域が設けられたはがき本体と隠蔽片とを再剥離再貼着可能な粘着剤によって貼着するとともに、隠蔽片の端縁部とはがき本体の相対位置とに再剥離不能な粘着剤をそれぞれ塗布し、再剥離不能な粘着剤が塗布された領域を隠蔽片から切断しないと情報記入領域に記入された情報を見ることができない構成とし、それにより、情報記入領域に記入された情報の秘匿性を高める技術が考えられている（例えば、特許文献１参照。）。
【特許文献１】特開平７−１７１６５号公報
【発明の開示】
【発明が解決しようとする課題】
【０００５】
上述したように、情報記入領域が設けられたはがき本体と隠蔽片とを再剥離再貼着可能な粘着剤によって貼着するとともに、隠蔽片の端縁部とはがき本体の相対位置とに再剥離不能な粘着剤をそれぞれ塗布することにより、情報記入領域に記入された情報の秘匿性を高めるものにおいては、再剥離再貼着可能な粘着剤と再剥離不能な粘着剤との種類が異なる２つの粘着剤をはがき本体や隠蔽片に塗布する必要がある。ここで、２種類の粘着剤を紙片に塗布する場合、それぞれ異なる工程にて粘着剤を紙片に塗布することになる。そのため、上述したように種類が異なる２つの粘着剤をはがき本体や隠蔽片に塗布する場合、粘着剤を塗布するための工程数が増加してしまい、そのための手間、コスト、設備が新たに必要となってしまうという問題点がある。
【０００６】
本発明は、上述したような従来の技術が有する問題点に鑑みてなされたものであって、粘着剤を塗布するための工程数が増加することなく、隠蔽片を剥離した後でも情報記入領域への情報の印字や記入を可能としながらも、隠蔽片が剥離された場合にその痕跡を残すことができる記入情報隠蔽シートを提供することを目的とする。
【課題を解決するための手段】
【０００７】
上記目的を達成するために本発明は、
情報記入領域が設けられた本体片と、一方の面に再剥離再貼着可能な粘着剤が塗布され、該粘着剤によって前記本体片の前記情報記入領域上に貼着されることにより前記情報記入領域に記入された情報を隠蔽するための隠蔽片とを有してなる記入情報隠蔽シートであって、
前記本体片及び前記隠蔽片のいずれか一方に、他の領域から破断可能な破断領域が区画形成され、該破断領域の破断強度が前記粘着剤の剥離接着力よりも弱い。
【０００８】
上記のように構成された本発明においては、本体片に設けられた情報記入領域に情報が記入された後、隠蔽片の一方の面に塗布された再剥離再貼着可能な粘着剤によって、隠蔽片が本体片の情報記入領域上に貼着されると、情報記入領域に記入された情報が隠蔽片によって外部から視認不可能な状態となる。その後、情報記入領域に記入された情報を見るために、隠蔽片が本体片から剥離されると、本体片及び隠蔽片のいずれか一方に区画形成された破断領域が他の領域から破断され、それにより、隠蔽片が本体片から剥離された痕跡が残る。
【０００９】
また、前記破断領域が、前記本体片または前記隠蔽片の内部に区画形成されている構成とすることも考えられる。
【００１０】
また、前記本体片と前記隠蔽片とが、折り部を介して連接している構成とすることも考えられる。
【発明の効果】
【００１１】
以上説明したように本発明においては、本体片及び隠蔽片のいずれか一方に、他の領域からの破断強度が、本体片と隠蔽片とを再剥離再貼着可能に貼着する粘着剤の剥離接着力よりも弱い破断領域が区画形成されているため、本体片と隠蔽片とを貼着した後にこれらを剥離すると、破断領域が他の領域から破断し、それにより、再剥離再貼着可能な粘着剤のみを用いて、隠蔽片を剥離した後でも情報記入領域への情報の印字や記入を可能としながらも、隠蔽片が剥離された場合にその痕跡を残すことができる。
【発明を実施するための最良の形態】
【００１２】
以下に、本発明の実施の形態について図面を参照して説明する。
【００１３】
（第１の実施の形態）
図１は、本発明の記入情報隠蔽シートの第１の実施の形態を示す図であり、（ａ）は表面から見た図、（ｂ）は（ａ）に示したＡ−Ａ’断面図である。
【００１４】
本形態は図１に示すように、情報記入領域１１が設けられた本体片１０と、折り部となる折り線３０を介して本体片１０に折り畳み可能に連接し、本体片１０に貼着されることにより、情報記入領域１１に記入された情報を隠蔽するための隠蔽片２０から構成されている。本体片１０は、ベース基材５０の折り線３０を介して折り畳まれた場合に隠蔽片２０と対向する面に情報を記入するための情報記入領域１１が設けられているとともに、その内部にミシン目１２によって他の領域から破断可能な破断領域１３が区画形成されている。また、隠蔽片２０は、ベース基材５０の折り線３０を介して折り畳まれた場合に本体片１０と対向する面に、再剥離再貼着が可能な粘着剤２１が塗布されており、この粘着剤２１上に、紙基材４１の一方の面に剥離剤４２が塗布されてなる剥離紙４０が貼着されている。なお、ミシン目１２は、破断領域１３の他の領域からの破断強度が粘着剤２１の剥離接着力よりも弱くなるような形状に形成されている。また、破断領域１３は図１に示すように、情報記入領域１１が設けられていない領域に区画形成されていることが好ましい。
【００１５】
上記のように構成された記入情報隠蔽シート１においては、情報記入領域１１を印刷する工程、ミシン目１２を形成する工程、折り線３０を形成する工程、粘着剤２１を塗布する工程、剥離紙４０を貼着する工程によって製造されることになるため、本体片１０と隠蔽片２０とを貼着するための粘着剤は１種類のみであってよく、それにより、粘着剤を塗布する工程は１工程のみによって行われることになる。なお、折り線３０においては、ベース基材５０上にハーフカットや版押し等によって形成することが考えられ、また、折り部として折り線３０ではなくベース基材５０上にミシン目を形成してもよい。その場合、ミシン目１２と同一工程にて形成することが考えられ、その形状はミシン目１２と同一であってもよいし、異なるものであってもよい。
【００１６】
以下に、上述した記入情報隠蔽シート１の使用方法について説明する。
【００１７】
図２は、図１に示した記入情報隠蔽シート１の使用方法を説明するための図である。
【００１８】
まず、本体片１０に設けられた情報記入領域１１に、隠蔽すべき情報を印字あるいは記入した後、隠蔽片２０から剥離紙４０を剥離し（図２（ａ））、本体片１０と隠蔽片２０とを、情報記入領域１１が内面となるように折り線３０を介して折り畳み、隠蔽片２０に塗布された再剥離再貼着可能な粘着剤２１によって互いに貼着する（図２（ｂ））。
【００１９】
そして、この状態で、情報記入領域１１に記入あるいは印字された情報の伝達先に、この記入情報隠蔽シート１を送付する。この際、情報記入領域１１に記入あるいは印字された情報は、隠蔽片２０によって覆われているため、外部から視認不可能となっている。
【００２０】
その後、隠蔽片２０が本体片１０から剥離されると、ミシン目１２の形状が、破断領域１３の他の領域からの破断強度が粘着剤２１の剥離接着力よりも弱くなるような形状となっているため、破断領域１３がミシン目１２を介して本体片１０の他の領域から破断し、粘着剤２１によって隠蔽片２０に貼着された状態で隠蔽片２０と本体片１０とが剥離する。それにより、本体片１０には、破断領域１３が破断されてなる穴部１４が形成される（図２（ｃ））。
【００２１】
図３は、図１に示した記入情報隠蔽シート１の本体片１０と隠蔽片２０とが貼着された後に剥離された状態を示す図である。
【００２２】
図３に示すように、図１に示した記入情報隠蔽シート１の本体片１０と隠蔽片２０とを粘着剤２１によって貼着し、その後、剥離すると、本体片１０にミシン目１２によって破断可能に区画形成された破断領域１３が本体片１０から破断し、粘着剤２１によって隠蔽片２０に貼着された状態となる。また、その際、本体片１０の破断領域１３が区画形成されていた領域には穴部１４が形成される。
【００２３】
このように、本体片１０と隠蔽片２０とを貼着した後に剥離すると、本体片１０にミシン目１２によって破断可能に区画形成された破断領域１３が本体片１０から破断し、粘着剤２１によって隠蔽片２０に貼着された状態となる。そのため、記入情報隠蔽シート１の送付先においては、破断領域１３が本体片１０の他の領域から破断しているかどうかによって、記入情報隠蔽シート１の送付途中にて本体片１０から隠蔽片２０が剥離されたかどうかを認識することができる。さらに、破断領域１３が本体片１０から破断される際、ミシン目１２のタイ部の切断音が生じることになるため、破断領域１３が本体片１０から破断された後に隠蔽片２０が本体片１０に粘着剤２１によって再度貼着された場合、その後、隠蔽片２０を本体片１０から剥離してもタイ部の切断音が生じることはなく、それにより、記入情報隠蔽シート１の送付先において、本体片１０から隠蔽片２０を剥離した際にタイ部の切断音が生じるかどうかによっても、記入情報隠蔽シート１の送付途中にて本体片１０から隠蔽片２０が剥離されたかどうかを認識することができる。
【００２４】
記入情報隠蔽シート１の送付先においては、本体片１０から隠蔽片２０を剥離することにより、本体片１０の情報記入領域１１に記入あるいは印字された情報を認識することができ、また、その後、本体片１０に情報を印字あるいは記入することができる。
【００２５】
（第２の実施の形態）
図４は、本発明の記入情報隠蔽シートの第２の実施の形態を示す図であり、（ａ）は表面から見た図、（ｂ）は（ａ）に示したＡ−Ａ’断面図である。
【００２６】
本形態は図４に示すように、情報記入領域１１１が設けられた本体片１１０と、折り部となる折り線１３０を介して本体片１１０に折り畳み可能に連接し、本体片１１０に貼着されることにより、情報記入領域１１１に記入された情報を隠蔽するための隠蔽片１２０から構成されている。本体片１１０は、ベース基材１５０の折り線１３０を介して折り畳まれた場合に隠蔽片１２０と対向する面に情報を記入するための情報記入領域１１１が設けられている。また、隠蔽片１２０は、その内部において、ベース基材１５０にミシン目１２２によって他の領域から破断可能な破断領域１２３が区画形成されているともに、ベース基材１５０の折り線１３０を介して折り畳まれた場合に本体片１１０と対向する面に、再剥離再貼着が可能な粘着剤１２１が塗布されており、この粘着剤１２１上に、紙基材１４１の一方の面に剥離剤１４２が塗布されてなる剥離紙１４０が貼着されている。なお、ミシン目１２２は、破断領域１２３の他の領域からの破断強度が粘着剤１２１の剥離接着力よりも弱く、かつ、粘着剤１２１と剥離剤１４２とによるベース基材１５０と剥離紙１４０との剥離接着力よりも強くなるような形状に形成されている。
【００２７】
上記のように構成された記入情報隠蔽シート１０１においては、情報記入領域１１１を印刷する工程、ミシン目１２２を形成する工程、折り線１３０を形成する工程、粘着剤１２１を塗布する工程、剥離紙１４０を貼着する工程によって製造されることになるため、本体片１１０と隠蔽片１２０とを貼着するための粘着剤は１種類のみであってよく、それにより、粘着剤を塗布する工程は１工程のみによって行われることになる。なお、折り線１３０においては、ベース基材１５０上にハーフカットや版押し等によって形成することが考えられ、また、折り部として折り線１３０ではなくベース基材１５０上にミシン目を形成してもよい。その場合、ミシン目１２２と同一工程にて形成することが考えられ、その形状はミシン目１２２と同一であってもよいし、異なるものであってもよい。
【００２８】
以下に、上述した記入情報隠蔽シート１０１の使用方法について説明する。
【００２９】
図５は、図４に示した記入情報隠蔽シート１０１の使用方法を説明するための図である。
【００３０】
まず、本体片１１０に設けられた情報記入領域１１１に、隠蔽すべき情報を印字あるいは記入した後、隠蔽片１２０から剥離紙１４０を剥離し（図５（ａ））、本体片１１０と隠蔽片１２０とを、情報記入領域１１１が内面となるように折り線１３０を介して折り畳み、隠蔽片１２０に塗布された再剥離再貼着可能な粘着剤１２１によって互いに貼着する（図５（ｂ））。なお、この際、ミシン目１２２の形状が、破断領域１２３の他の領域からの破断強度がベース基材１５０と剥離紙１４０との剥離接着力よりも強くなるような形状となっているため、隠蔽片１２０から剥離紙１４０を剥離した場合に破断領域１２３がミシン目１２２を介して隠蔽片１２０の他の領域から破断されてしまうことはない。
【００３１】
そして、この状態で、情報記入領域１１１に記入あるいは印字された情報の伝達先に、この記入情報隠蔽シート１０１を送付する。この際、情報記入領域１１１に記入あるいは印字された情報は、隠蔽片１２０によって覆われているため、外部から視認不可能となっている。
【００３２】
その後、隠蔽片１２０が本体片１１０から剥離されると、ミシン目１２２の形状が、破断領域１２３の他の領域からの破断強度が粘着剤１２１の剥離接着力よりも弱くなるような形状となっているため、破断領域１２３がミシン目１２２を介して隠蔽片１２０の他の領域から破断し、粘着剤１２１とともに本体片１１０に貼着された状態で隠蔽片１２０と本体片１１０とが剥離する。それにより、隠蔽片１２０には、破断領域１２３が破断されてなる穴部１２４が形成される（図５（ｃ））。
【００３３】
図６は、図４に示した記入情報隠蔽シート１０１の本体片１１０と隠蔽片１２０とが貼着された後に剥離された状態を示す図である。
【００３４】
図６に示すように、図４に示した記入情報隠蔽シート１０１の本体片１１０と隠蔽片１２０とを粘着剤１２１によって貼着し、その後、剥離すると、隠蔽片１２０にミシン目１２２によって破断可能に区画形成された破断領域１２３が隠蔽片１２０から破断し、粘着剤１２１とともに本体片１１０に貼着された状態となる。また、その際、隠蔽片１２０の破断領域１２３が区画形成されていた領域には穴部１２４が形成される。
【００３５】
このように、本体片１１０と隠蔽片１２０とを貼着した後に剥離すると、隠蔽片１２０にミシン目１２２によって破断可能に区画形成された破断領域１２３が隠蔽片１２０から破断し、粘着剤１２１とともに本体片１１０に貼着された状態となる。そのため、記入情報隠蔽シート１０１の送付先においては、破断領域１２３が隠蔽片１２０の他の領域から破断しているかどうかによって、記入情報隠蔽シート１０１の送付途中にて本体片１１０から隠蔽片１２０が剥離されたかどうかを認識することができる。さらに、破断領域１２３が隠蔽片１２０から破断される際、ミシン目１２２のタイ部の切断音が生じることになるため、破断領域１２３が隠蔽片１２０から破断された後に隠蔽片１２０が本体片１１０に粘着剤１２１によって再度貼着された場合、その後、隠蔽片１２０を本体片１１０から剥離してもタイ部の切断音が生じることはなく、それにより、記入情報隠蔽シート１０１の送付先において、本体片１１０から隠蔽片１２０を剥離した際にタイ部の切断音が生じるかどうかによっても、記入情報隠蔽シート１０１の送付途中にて本体片１１０から隠蔽片１２０が剥離されたかどうかを認識することができる。
【００３６】
記入情報隠蔽シート１０１の送付先においては、本体片１１０から隠蔽片１２０を剥離することにより、本体片１１０の情報記入領域１１１に記入あるいは印字された情報を認識することができ、また、その後、本体片１１０に情報を印字あるいは記入することができる。
【００３７】
上述した２つの実施の形態においては、破断領域１３，１２３が、本体片１０または隠蔽片１２０の内部に区画形成されているが、本体片または隠蔽片の周縁部に区画形成することも考えられる。以下にその実施の形態について説明する。
【００３８】
（第３の実施の形態）
図７は、本発明の記入情報隠蔽シートの第３の実施の形態を示す図であり、（ａ）は表面から見た図、（ｂ）は（ａ）に示したＡ−Ａ’断面図である。
【００３９】
本形態は図７に示すように、情報記入領域２１１が設けられた本体片２１０と、折り部となる折り線２３０を介して本体片２１０に折り畳み可能に連接し、本体片２１０に貼着されることにより、情報記入領域２１１に記入された情報を隠蔽するための隠蔽片２２０から構成されている。本体片２１０は、ベース基材２５０の折り線２３０を介して折り畳まれた場合に隠蔽片２２０と対向する面に情報を記入するための情報記入領域２１１が設けられているとともに、折り線２３０の対辺側における情報記入領域２１１の外側にミシン目２１２によって他の領域から破断可能な破断領域２１３が区画形成されている。また、隠蔽片２２０は、ベース基材２５０の折り線２３０を介して折り畳まれた場合に本体片２１０と対向する面に、再剥離再貼着が可能な粘着剤２２１が塗布されており、この粘着剤２２１上に、紙基材２４１の一方の面に剥離剤２４２が塗布されてなる剥離紙２４０が貼着されている。なお、ミシン目２１２は、破断領域２１３の他の領域からの破断強度が粘着剤２２１の剥離接着力よりも弱くなるような形状に形成されている。
【００４０】
上記のように構成された記入情報隠蔽シート２０１においては、本体片２１０と隠蔽片２２０とを貼着した後にこれらを剥離すると、本体片２１０に区画形成された破断領域２１３が本体片２１０の他の領域から破断するため、記入情報隠蔽シート２０１の送付先においては、破断領域２１３が本体片２１０の他の領域から破断しているかどうかによって、記入情報隠蔽シート２０１の送付途中にて本体片２１０から隠蔽片２２０が剥離されたかどうかを認識することができる。
【００４１】
（第４の実施の形態）
図８は、本発明の記入情報隠蔽シートの第４の実施の形態を示す図であり、（ａ）は表面から見た図、（ｂ）は（ａ）に示したＡ−Ａ’断面図である。
【００４２】
本形態は図８に示すように、情報記入領域３１１が設けられた本体片３１０と、折り部となる折り線３３０を介して本体片３１０に折り畳み可能に連接し、本体片３１０に貼着されることにより、情報記入領域３１１に記入された情報を隠蔽するための隠蔽片３２０から構成されている。本体片３１０は、ベース基材３５０の折り線３３０を介して折り畳まれた場合に隠蔽片３２０と対向する面に情報を記入するための情報記入領域３１１が設けられているとともに、情報記入領域３１１の外側にミシン目３１２によって他の領域から破断可能な破断領域３１３が区画形成されている。また、隠蔽片３２０は、ベース基材３５０の折り線３３０を介して折り畳まれた場合に本体片３１０と対向する面に、再剥離再貼着が可能な粘着剤３２１が塗布されており、この粘着剤３２１上に、紙基材３４１の一方の面に剥離剤３４２が塗布されてなる剥離紙３４０が貼着されている。なお、ミシン目３１２は、破断領域３１３の他の領域からの破断強度が粘着剤３２１の剥離接着力よりも弱くなるような形状に形成されている。
【００４３】
上記のように構成された記入情報隠蔽シート３０１においては、本体片３１０と隠蔽片３２０とを貼着した後にこれらを剥離すると、本体片３１０に区画形成された破断領域３１３が本体片３１０の他の領域から破断するため、記入情報隠蔽シート３０１の送付先においては、破断領域３１３が本体片３１０の他の領域から破断しているかどうかによって、記入情報隠蔽シート３０１の送付途中にて本体片３１０から隠蔽片３２０が剥離されたかどうかを認識することができる。
【００４４】
（第５の実施の形態）
図９は、本発明の記入情報隠蔽シートの第５の実施の形態を示す図であり、（ａ）は表面から見た図、（ｂ）は（ａ）に示したＡ−Ａ’断面図である。
【００４５】
本形態は図９に示すように、情報記入領域４１１が設けられた本体片４１０と、折り部となる折り線４３０を介して本体片４１０に折り畳み可能に連接し、本体片４１０に貼着されることにより、情報記入領域４１１に記入された情報を隠蔽するための隠蔽片４２０から構成されている。本体片４１０は、ベース基材４５０の折り線４３０を介して折り畳まれた場合に隠蔽片４２０と対向する面に情報を記入するための情報記入領域４１１が設けられているとともに、その角部にミシン目４１２ａ，４１２ｂによって他の領域から破断可能な破断領域４１３ａ，４１３ｂがそれぞれ区画形成されている。また、隠蔽片４２０は、ベース基材４５０の折り線４３０を介して折り畳まれた場合に本体片４１０と対向する面に、再剥離再貼着が可能な粘着剤４２１が塗布されており、この粘着剤４２１上に、紙基材４４１の一方の面に剥離剤４４２が塗布されてなる剥離紙４４０が貼着されている。なお、ミシン目４１２ａ，４１２ｂは、破断領域４１３ａ，４１３ｂの他の領域からの破断強度が粘着剤４２１の剥離接着力よりも弱くなるような形状に形成されている。また、破断領域４１３ａ，４１３ｂは図９に示すように、情報記入領域４１１が設けられていない領域に区画形成されていることが好ましい。
【００４６】
上記のように構成された記入情報隠蔽シート４０１においては、本体片４１０と隠蔽片４２０とを貼着した後にこれらを剥離すると、本体片４１０に区画形成された破断領域４１３ａ，４１３ｂが本体片４１０の他の領域から破断するため、記入情報隠蔽シート４０１の送付先においては、破断領域４１３ａ，４１３ｂが本体片４１０の他の領域から破断しているかどうかによって、記入情報隠蔽シート４０１の送付途中にて本体片４１０から隠蔽片４２０が剥離されたかどうかを認識することができる。
【００４７】
なお、上述した第１〜第５の実施の形態においては、本体片１０，１１０，２１０，３１０，４１０と隠蔽片２０，１２０，２２０，３２０，４２０とが折り線３０，１３０，２３０，３３０，４３０を介して連接しているが、本体片と隠蔽片とが別体として構成されたものとすることも考えられる。
【図面の簡単な説明】
【００４８】
【図１】本発明の記入情報隠蔽シートの第１の実施の形態を示す図であり、（ａ）は表面から見た図、（ｂ）は（ａ）に示したＡ−Ａ’断面図である。
【図２】図１に示した記入情報隠蔽シートの使用方法を説明するための図である。
【図３】図１に示した記入情報隠蔽シートの本体片と隠蔽片とが貼着された後に剥離された状態を示す図である。
【図４】本発明の記入情報隠蔽シートの第２の実施の形態を示す図であり、（ａ）は表面から見た図、（ｂ）は（ａ）に示したＡ−Ａ’断面図である。
【図５】図４に示した記入情報隠蔽シートの使用方法を説明するための図である。
【図６】図４に示した記入情報隠蔽シートの本体片と隠蔽片とが貼着された後に剥離された状態を示す図である。
【図７】本発明の記入情報隠蔽シートの第３の実施の形態を示す図であり、（ａ）は表面から見た図、（ｂ）は（ａ）に示したＡ−Ａ’断面図である。
【図８】本発明の記入情報隠蔽シートの第４の実施の形態を示す図であり、（ａ）は表面から見た図、（ｂ）は（ａ）に示したＡ−Ａ’断面図である。
【図９】本発明の記入情報隠蔽シートの第５の実施の形態を示す図であり、（ａ）は表面から見た図、（ｂ）は（ａ）に示したＡ−Ａ’断面図である。
【符号の説明】
【００４９】
１，１０１，２０１，３０１，４０１    記入情報隠蔽シート
１０，１１０，２１０，３１０，４１０    本体片
１１，１１１，２１１，３１１，４１１    情報記入領域
１２，１２２，２１２，３１２，４１２ａ，４１２ｂ    ミシン目
１３，１２３，２１３，３１３，４１３ａ，４１３ｂ    破断領域
１４，１２４    穴部
２０，１２０，２２０，３２０，４２０    隠蔽片
２１，１２１，２２１，３２１，４２１    粘着剤
３０，１３０，２３０，３３０，４３０    折り線
４０，１４０，２４０，３４０，４４０    剥離紙
４１，１４１，２４１，３４１，４４１    紙基材
４２，１４２，２４２，３４２，４４２    剥離剤
５０，１５０，２５０，３５０，４５０    ベース基材
【図１】
2006159540.tif 000003
【図２】
2006159540.tif 000004
【図３】
2006159540.tif 000005
【図４】
2006159540.tif 000006
【図５】
2006159540.tif 000007
【図６】
2006159540.tif 000008
【図７】
2006159540.tif 000009
【図８】
2006159540.tif 000010
【図９】
2006159540.tif 000011